(57)【要約】内燃機関用電子点火システムは、少なくとも一次巻線（３）と二次巻線（４）とを有する点火コイル（２）と、前記一次巻線（３）に接続されるとともに、駆動信号の値に応じて開いた位置におよび／または閉じた位置に駆動可能なスイッチ（６）と、スイッチ（６）と関係するとともに、駆動信号（Ｇ）の値に応じて開いた位置におよび／または閉じた位置にスイッチ（６）を駆動するよう構成される制御ユニット（７）と、を備える。また、このようなシステムは、電気接続（５）に接続されるとともに、電気接続（５）と一次巻線（３）との間で機能的に配置されており、そして少なくとも第一電圧値（Ｖ１）と第二電圧値（Ｖ２）との間の制御信号の値に応じて一次巻線（３）の電圧値を変更するよう構成される電圧変更電子要素（８）を備える。システムはまた、二次巻線（４）と関連づけられる点火プラグ（１００）の前記放電ギャップ（１００ａ）の周辺に、二次巻線（４）における電流値を検出するようかつ前記値を表す信号を制御ユニット（７）に送信するよう配置されているパラメータの測定器（２０）を備える。制御ユニット（７）は電気アークすなわち火花が消失したとき前記測定器（２０）を作動させるように構成されている。【選択図】図１
2018520298.tif 000002
【特許請求の範囲】
【請求項１】
少なくとも一次巻線（３）と二次巻線（４）とを有する点火コイル（２）であって、前記少なくとも一次巻線（３）は電気接続（５）を用いて電圧発生装置（５０）に接続可能であり、前記二次巻線（４）は点火プラグ（１００）に接続可能である点火コイル（２）と、
前記一次巻線（３）に接続されるとともに、前記一次巻線（３）を通る電流の通電を遮断するまたは可能にするために駆動信号の値に応じて前記一次巻線（３）を開くようおよび／または閉じるよう駆動可能なスイッチ（６）と、
前記スイッチ（６）と関係するとともに、前記駆動信号（Ｇ）の前記値に応じて開いた位置におよび／または閉じた位置に前記スイッチ（６）を駆動するよう構成される制御ユニット（７）であって、前記制御ユニット（７）は、前記スイッチ（６）をそのタイミングおよび／または開閉の時間を変更することにより制御するように構成されたハードウェアおよびソフトウェアの手段を備え、前記スイッチングによって、前記二次巻線（４）において、前記点火プラグ（１００）の放電ギャップ（１００ａ）の端子において少なくとも電気アークを生成するおよび／または活性状態に維持するのに適した変動電位を生成する制御ユニットと、
を備える、機関シリンダ内に火花を所定の時間生成するよう構成される内燃機関用プラズマ電子点火システムにおいて、
前記二次巻線（４）と関連づけられる前記点火プラグ（１００）の前記放電ギャップ（１００ａ）におけるイオン化プロセスを表すパラメータの測定装置（２０）であって、前記二次巻線（４）における電流値を検出し、かつ前記値を表す信号を前記制御ユニット（７）に送信するよう配置されている測定装置を備えており、
前記制御ユニット（７）は前記電気アークが消失したとき前記測定装置（２０）を作動させるように構成されているシステム。
【請求項２】
請求項１に記載の装置において、
前記二次巻線（４）と関係する電流検出手段（１０）を備えており、
前記測定装置（２０）は、イオン化電流測定フェーズの間に前記二次巻線（４）における前記電流値を検出するように構成されている装置。
【請求項３】
請求項１または２に記載の装置において、
前記電気接続（５）に接続されるとともに、前記電気接続（５）と前記一次巻線（３）との間で機能的に配置されており、そして少なくとも第一電圧値（Ｖ１）と前記第一電圧値（Ｖ１）より大きい第二電圧値（Ｖ２）との間の制御信号の値に応じて前記一次巻線（３）の電圧値を変更するよう構成される電圧変更電子要素（８）を備えており、
前記制御ユニット（７）は、前記変更要素（８）と関係するとともに、
前記一次巻線（３）の前記第一電圧値（Ｖ１）と前記第二電圧値（Ｖ２）とをそれぞれ表す少なくとも第一値と第二値との間で変化する前記制御信号（Ｃ）を生成し、
前記二次巻線（４）において前記電流値が実質的にゼロであり前記スイッチ（６）が閉じている、少なくとも、前記一次巻線（３）の第一充電間隔の間に、前記第一値を有する前記制御信号（Ｃ）を、前記変更電子要素（８）に送信するよう構成されている装置。
【請求項４】
請求項１から３のいずれか一に記載の装置において、
前記二次巻線（４）と関係する電流検出手段（１０）を備えており、
前記制御ユニット（７）は、前記二次巻線（４）における少なくとも電流値（ＩII）を表す信号を受信するよう前記検出手段（１０）と関係するとともに、前記信号に応じて前記スイッチ（６）を制御するよう構成されている装置。
【請求項５】
請求項１から４のいずれか一に記載の装置において、前記スイッチ（６）と並列に接続されるとともに、前記スイッチ（６）が開いた後に前記一次巻線（３）に残留する残留エネルギーを蓄積するよう構成される蓄積回路（１５）を備える装置。
【請求項６】
請求項１から５のいずれか一に記載の内燃機関用のプラズマ電子点火システムの駆動方法であって、前記機関がそれ自体の駆動シャフトと少なくとも一つのシリンダとを備えている方法であり、
前記スイッチ（６）を所定第一時間間隔閉じることによって、前記一次巻線（３）を充電する工程と、
前記点火プラグ（１００）に火花を発生させるために前記スイッチ（６）を開くことによって電磁誘導によって前記二次巻線（４）に電力を供給する工程と、
前記火花の持続時間を変更するよう前記スイッチ（６）を交互順序で開閉させる工程と、
それぞれの回転に関して駆動シャフトの角度位置を検出する工程と、
前記角度位置が前記シリンダに関して予め設定された参照値に対応する場合に、前記火花を消滅させることにより前記二次巻線（４）の電圧を消去するように、前記スイッチを開く工程と、
前記開く工程の結果としてのイオン化電流を検出する工程と、
未燃混合物が排気管に達するのを回避するために、検出された前記イオン化電流が予め設定された参照値より低いまたはゼロに近い場合、前記一次巻線（３）をさらに充電し電磁誘導を介して前記二次巻線（４）にさらに電力を供給する工程と、
を含む方法。
【発明の詳細な説明】
【技術分野】
【０００１】
本発明は、内燃機関用電子点火システムおよび該電子点火システムの駆動方法に関する。
【背景技術】
【０００２】
内燃機関は、大きくは、自己点火機関（エンジン）と制御点火エンジンとに分けられる。後者は、空気と燃料との混合物の圧縮と、それと関連する火花（スパーク）の生成と、により、前記混合物を点火することによって、エンジン内の一以上の内燃機関室内に制御状態で爆発を発生させ、当該エンジンに動力を供給するよう動作する。火花は典型的には、電極間が特定の距離にある点火プラグに高圧電力を供給することにより生成される。その特定の距離は、放電「ギャップ」として知られている。それによって生じる放電により、混合物の燃焼が引き起こされる。
【０００３】
近年、エンジンの条件に応じて点火プラグの動作を変更させて燃焼しなかった物質（未燃物質）の残留を低減するように火花の生成を電子的に制御することによって、このような燃焼の効率を最大限にするいくつかの解決法が研究されている。
【０００４】
このようなアプローチには、主に、燃焼室内におけるガス混合物においてプラズマ状態を引き起こすこと、つまり、それは混合物／ガスをイオン化させて電磁界に強く応答する良好な導電体とすることが含まれている。
【０００５】
したがって、詳細にはここに記載する特徴に関連する、内燃機関の燃焼室内におけるプラズマ発生によって、混合物の燃焼を確実に改良することができる。実際、プラズマによって生成された炎面（ｆｌａｍｅ  ｆａｃｅ）は、燃焼室内におけるその伝播の際に、ガス混合物において非常に高い温度となり、したがって当該炎面の速度が高速となってその拡散（ａｄｖａｎｃｅｍｅｎｔ）に要する時間が低減されることによって、性能が大きく向上し、未燃ガスの残留を低減できる。
【０００６】
例えば、国際公開第２０１２／１０６８０７号（ＷＯ２０１２／１０６８０７）に、現状の技術として知られている点火装置が示されている。
【０００７】
このような装置は二つの巻線を有するコイルを備えており、一次巻線は電力発生器に接続されるとともに接地されて閉じた状態となり、一方、二次巻線は点火プラグに、つまり二つの電極に接続されている。
【０００８】
一次巻線には、エンジンコントロールユニット（ＥＣＵ）により受信された制御信号に応じて開閉駆動を行う制御ユニットを用いて電子的に制御可能なスイッチがさらに配置されている。
【０００９】
国際公開第２０１２／１０６８０７号に例示された装置の動作は、おおむね四つのステップを含む。
【００１０】
第一ステップにおいて、スイッチは制御ユニットによって閉じた状態となり、発生器によって生成された電流が一次巻線において流れ始め、所望の電流値に充電される。
【００１１】
フライバック（ｆｌｙ−ｂａｃｋ）ステップとして知られる第二ステップの際に、スイッチは、制御ユニットによって開いた状態となって動作を停止し、電磁誘導によって、一次巻線は二次巻線に放電して、二つの電極間の「ギャップ」において絶縁破壊を生じさせるのに十分に高い電圧へと充電させて、火花を発生する。
【００１２】
フォワード・ステップとして知られる第三ステップにおいて、スイッチは、制御ユニットによって再び閉じた状態となり、一次巻線を「充電する」と同時にコイルを通じて二次巻線へ電力を送ることによって、再び動作を開始し、先の極性とは反対の極性の高電圧を再び発生して、これにより、火花を「ギャップ」において「アライブ（活性状態）」に維持する。
【００１３】
二次巻線の高電圧は、この場合、二つの巻線間の巻数比によって決まることが知られている。
【００１４】
第四ステップの際に、スイッチは再び閉じた状態となり（新たなフライバック）、一次巻線を励起（ｈｅａｔｉｎｇ）し、電磁誘導によって、「ギャップ」の端部（エンド）において異なる極性の電圧を再発生し、火花を維持する。
【００１５】
「プラズマ・ステップ」として一般に知られているものは第三ステップおよび第四ステップの繰り返しにより主として定義されることが知られている。その繰り返しの数によって、火花の継続時間、したがって燃焼の完了が決まる。
【００１６】
言い換えれば、なだれイオン化の効果が生じるように、電圧交番コマンド（ｖｏｌｔａｇｅ  ａｌｔｅｒｎａｔｉｎｇ  ｃｏｍｍａｎｄ）によって放電「ギャップ」を通じて電子のフローが確実に生じる。
【００１７】
しかしながら、直上に説明した公報に示された装置を含む既知の装置には、性能要因および信頼性要因の両方に関係する多くの欠点がある。
【００１８】
この技術の第一の欠点は、フォワード・ステップの効率化を可能にするために二つの巻線間の巻数比を（二次巻線を優先して）増加させる必要があることと関係する。
【００１９】
このように巻数比を増加させる必要があり、しかもスイッチの開閉構成間のスイッチングレート（切り換え速度）が高いという事実があるので、二次巻線に、したがって、点火プラグの端部に、スイッチを閉じる毎に高い電圧ピークが発生してしまうことになる。
【００２０】
このピークは、制限しなければ、ギャップにおける絶縁破壊を生じるのに十分となることになり、シリンダで火花が危険な状態で拡散する虞がある。
【００２１】
既知の装置のさらなる重大な事態は、「プラズマ」ステップの際にスイッチを制御することが難しいことと関係する。このような難しさがあるので、シリンダにおいて生成される実際の条件を考慮に入れずに予め定義されたロジック（論理）によって多くの場合制御されるスイッチの開閉は、その管理の精度が低くなり、したがって二次巻線の管理の精度が低くなる。
【００２２】
再び、既知の装置においてより多く見られる問題のうちの一つは、二次巻線を交流で制御することによって、スイッチを連続して高い周波数で開閉させるので、必然的にスイッチによる吸収と散逸とを伴う電力散逸に起因する問題である。
【００２３】
本発明の目的は、上述した従来の技術の欠点を回避することができる内燃機関用電子点火システムおよび該電子点火システムの駆動方法を提供することにある。
【００２４】
特に、本発明の目的は、高性能であるが、同時に、実現するのが容易でコスト効率に優れた、内燃機関用電子点火システムおよび該電子点火システムの制御方法を提供することにある。
【００２５】
本発明のさらなる目的は、拡散する火花の課題を解消できる内燃機関用電子点火システムおよび該電子点火システムの駆動方法を提供することにある。
【００２６】
また、本発明の目的は、フライバック・ステップおよびフォワード・ステップの両方において容易に駆動可能な内燃機関用電子点火システムを提供することにある。
【００２７】
さらにまた、本発明の目的は、信頼性を高めながら熱的電力散逸を最大限に制限する内燃機関用電子点火システムを提供することにある。
【００２８】
本発明の他の目的は、ともに高効率で高性能であり、特に不可避な場合には点火不良（いわゆる「ミスファイヤー（ｍｉｓｆｉｒｉｎｇ）」）事象を最小限にできる内燃機関用プラズマ電子点火システムおよびこの電子点火システムの駆動方法を提供することにある。
【００２９】
前記目的は、請求項１〜８にかかる内燃機関用プラズマ電子点火システムによって達成され、そして請求項９にかかる該システムの駆動方法によっても同様に達成される。
【００３０】
特に、これらの目的は、少なくとも一つの一次巻線と一つの二次巻線とを有する点火コイルと、前記一次巻線に接続されるスイッチと、前記一次巻線と関係する制御ユニットと、を備える機関（エンジン）シリンダ内に火花を所定の時間生成するよう構成される内燃機関用電子点火システムによって達成される。前記少なくとも一次巻線は電気接続を用いて電圧発生装置に接続可能であり、前記二次巻線は点火プラグに接続可能である。スイッチは、前記一次巻線を通る電流の通電を遮断するまたは可能にするために、コマンド信号の値に応じて開いた位置および／または閉じた位置で駆動可能である。制御ユニットは、前記制御信号の値に応じて開いた位置におよび／または閉じた位置に一次巻線を駆動するよう構成される。
【００３１】
本発明の第一の面では、システムが、前記電気接続に接続されるとともに、電気接続と一次巻線との間で機能的に間に配置されており、そして制御信号の値に応じて前記一次巻線の電圧値を変更するように構成される電圧変更要素を備える。制御ユニットは、変更要素に関係するとともに、一次巻線の第一電圧値と第二電圧値とをそれぞれ表す少なくとも第一値と第二値との間で可変である前記制御信号を生成するよう構成される。前記第二値は第一値より大きい。
【００３２】
制御ユニットはさらに、前記二次巻線において電流値が実質的にヌル平均値（null mean value）でありスイッチが閉じている一次巻線の少なくとも第一充電間隔の間に、前記第一値を有する前記制御信号を、前記変更電子要素に送信するよう構成される。
【００３３】
これにより、一次巻線の充電の第一ステップの間に、二つの巻線間の巻数比の、第二巻線の、増大効果を最小限とすることができる利点がある。
【００３４】
言い換えれば、この解決法により、第一フライバック・ステップの間に火花を確実に発生させることができ、あらゆる場合においても、巻数比を最大限に利用するよう変更モジュールによって電源電圧が再び増加する効率的な「プラズマ」制御（第三ステップおよび第四ステップ）を維持することができる。
【００３５】
本発明のさらなる面では、システムは、前記二次巻線に関係する電流検出手段を備える。制御ユニットは、二次巻線における少なくとも電流値を表す信号を受信するよう検出手段と関係するとともに、前記信号に応じて前記スイッチを駆動するよう構成されている。
【００３６】
より詳細には、制御ユニットは、二次巻線において検出された前記電流信号に応じてスイッチ駆動信号を変更するよう構成されている。
【００３７】
好ましくは、制御ユニットは、少なくとも所定の時間、二次巻線における少なくとも一つの電流値を表す信号を受信するよう検出手段と関係し、それを前記一以上の制御パラメータをそれぞれの所定参照値の一つ以上と比較するよう構成されるスイッチ制御の一以上のパラメータに関連させることにより前記信号を処理するようにプログラムされ、前記比較に応じて決定される値の一以上の動作信号を前記制御モジュールに送信するよう構成されている。
【００３８】
このように、スイッチ駆動（好ましくはＰＷＭ変調における）は、先のサイクルにおける二次巻線の電流の閉リング制御（ｃｌｏｓｅｄ−ｒｉｎｇ  ｃｏｎｔｒｏｌ）に応じて行われ、応答を最適化しており、制御の精度を高める利点がある。
【００３９】
本発明のさらなる面では、システムは、前記スイッチと並列に接続されるとともに前記スイッチが開いた結果一次巻線に残留する残留電力を蓄積するよう構成される蓄積回路を有する。
【００４０】
なお、ここで用いる表現「残留電力」は、一次巻線の分散インダクタンス（ｄｉｓｐｅｒｓｅｄ  ｉｎｄｕｃｔａｎｃｅ）に蓄えられ、したがって電磁誘導によって二次巻線に送られない電力として定義されることを記載しておく。
【００４１】
好ましくは、蓄積回路は、一次巻線自体の充電条件に応じて、一次巻線から電流を吸収するようまたは前記一次巻線の電流を放出するよう構成される。
【００４２】
この場合、スイッチが開く毎に、一次巻線から流れる残留電流は蓄積回路に蓄積され、熱として散逸されることなく引き続いて一次巻線に戻るよう放出されて、スイッチがこれらの充電を管理する負担を完全に除去できる利点がある。
【００４３】
先に述べたように、さらに、制御ユニットは、前記スイッチをそのタイミングおよび／または開閉時間を変更することにより制御するように構成されたハードウェアおよびソフトウェアの手段を備える。前記スイッチングによって、二次巻線において、点火プラグの放電ギャップの端子において少なくとも電気アークを生成するおよび／またはアクティブ（活性状態）に維持するのに適した変動電位（oscillating electric potential）を生成する。
【００４４】
本発明のさらなる面では、システムは、前記二次巻線と関連づけられる点火プラグの前記放電ギャップの近傍での（すなわち放電ギャップにおける）イオン化プロセスを表すパラメータの測定装置を備える。測定装置は、前記二次巻線における電流値を検出し、かつ前記値を表す信号を制御ユニットに送信するよう配置されている。制御ユニットは、前記電気アークの消失したとき前記測定装置を作動させるように構成されている。
【００４５】
したがって、好ましくは、イオン化を表すパラメータは、当該イオン化の結果として二次巻線に生成される電流である。
【００４６】
以下では、したがって、「イオン化電流」の測定に言及する。この表現はイオン化の結果として生成された電流を正確に定義するものと、したがって測定パラメータを定義するものとする。
【００４７】
これにより、知られている通り燃焼室における混合気燃焼プロセスのパラメータと直接関係するイオン化電流検出システムと、交流（変動電位）のプラズマ点火システムと、の利点を組み合わせることができ、有用である。
【００４８】
特に、点火プラグの電極間での火花の生成後に燃焼室において生成されるイオンと混合気の燃焼とに関するセンサとして点火プラグを用いることができる。
【００４９】
したがって、火花の生成を任意に停止することができ、フォワード・ステップ（つまり第一充電に続くスイッチの開閉工程）を選択的に変更し、交流においてこのような変更を実現するので、イオン化電流を測定するために、変更の中断によって放電したばかりのその同じ二次回路を利用することができる。
【００５０】
特に、こうして構成されたシステムによって、駆動（すなわち制御）効率を大きくできる。
【００５１】
より詳細には、この駆動方法は、前記スイッチを所定第一時間間隔閉じることによって、前記一次巻線を充電する工程と、次に、前記点火プラグにおいて火花を発生させるために前記スイッチを開くことによって電磁誘導によって前記二次巻線に供給を行う工程（フライバック工程）と、前記火花の持続時間を変更するよう前記スイッチを交互順序で開閉させる工程（フォワード・ステップ）と、それぞれの回転に関して駆動シャフトの角度位置を検出する工程と、前記角度位置が前記シリンダに関して予め設定された参照値に対応する場合に、前記火花が消滅するよう前記二次巻線の電圧を消去するように、前記スイッチを開く工程と、このような開く工程に続くイオン化電流を検出する工程と、を含む。
【００５２】
最後に、このようなイオン化電流値は参照値と比較される。
【００５３】
比較が真（ｐｏｓｉｔｉｖｅ）の場合、燃焼「サイクル」が生じていると考えられる。
【００５４】
もしも検出されたイオン化電流が予め設定された参照値に対して低い／高い／異なる場合、未燃混合物が排気管に達するのを防止するために（および／または燃焼を完了させるために）、前記一次巻線の新たな充電が開始され、その後、電磁誘導による前記二次巻線の少なくとも一回の新たな電力供給が行われる（したがってさらなるフライバック・ステップ）。
【００５５】
これが十分でない場合、さらなるフォワード・ステップで、したがって前記火花の持続時間を変更する前記スイッチの交互順序での新たな開閉で、火花の持続時間を再延長することもできる。
【図面の簡単な説明】
【００５６】
本発明のこれら特徴および他の特徴は、以下の図面に示す、内燃機関用電子点火システムおよび該電子点火システムの制御方法の好ましい実施形態でありしたがって他のものを排除するものではない実施形態の、以下の例示的でありしたがって限定するものではない以下の説明からさらに明らかとなろう。
【図１】本発明にかかる内燃機関用電子点火システムの概略的機能図を示す。
【図２】図１のシステムの部品の概略的機能図を示す。
【図３】図１のシステムのさらなる機能的部品の概略的機能図を示す。
【図４】図１のシステムの制御ユニットの概略的機能図を示す。
【図５】ａ）〜ｆ）は、図１のシステムの各部品の電流、電圧および制御信号の変化を示す。
【図６】ａ）およびｂ）は、図１のシステムの二次巻線の電流とスイッチの制御パラメータとの間の相関を示す。
【図７】ａ）〜ｆ）は、スイッチが開くステップにおけるスイッチおよび蓄積モジュールの種々のブランチの電流および電圧信号の変化を示す。
【図８】さらなる実施形態における、本発明にかかる内燃機関用電子点火システムの概略的機能図を示す。
【図９】図８の実施形態にかかる、点火フェーズ（段階）およびの測定の間の一次および二次の電流信号の変化を示す。
【００５７】
添付の図面を参照して、符号１は、本発明にかかる内燃機関装置用点火システムを示す。
【００５８】
このように、点火システム１は、内燃機関（エンジン）のそれぞれのシリンダ内に火花を生成するよう構成されており、絶縁破壊に必要な電圧を点火プラグ１００の二つの電極１００ａに供給して電流フローの生成を可能にする装置または装置アッセンブリである。
【００５９】
したがって、システム１は、好ましくは車両の電池における電圧（または電流）発生装置５０と関連する（または備える）。
【００６０】
好ましい実施形態において、したがって、生成器５０はシステム１に直流電流を供給するよう構成されている。
【００６１】
より詳細には、発生器は、電池であり、より好ましくは自動車車両用の電池であり、さらにより好ましくは鉛蓄電池である。
【００６２】
システムはさらに、少なくとも一つの一次巻線３および一つの二次巻線３を有する少なくとも一つの点火コイル２を備える。
【００６３】
より詳細には、システムは、それぞれがエンジンのそれぞれのシリンダと関係する複数のコイル２を備える。
【００６４】
一次巻線３は、第一端子３ａと第二端子３ｂとを有しており、電気接続５を用いて電圧発生装置５０に接続することができる。
【００６５】
一方、二次巻線４は点火プラグ１００に接続可能である（または接続されている）。
【００６６】
なお、一次巻線３は第一の巻数ＮIの数を有し、二次巻線４は、第二の巻数ＮIIを有することを記載しておく。
【００６７】
好ましくは、二次巻線４の巻数は、二次巻線４（詳細には高電圧回路の一部である）における電圧を増大させるよう一次巻線３より大きい。
【００６８】
好ましい実施形態において、第二の巻数ＮＩＩを第一の巻数ＮＩで除した巻数比は、１２０〜２２０の間であり、好ましくは約１５０である。
【００６９】
システム１はさらに、一次巻線３に接続されるとともに、前記一次巻線３を通る電流の通電を遮断するまたは可能にするために開いた位置および／または閉じた位置へと駆動可能なスイッチ６を備える。
【００７０】
好ましい実施形態において、一次巻線３は電気接続５とスイッチ６との間に配置される。
【００７１】
このように、好ましくは、スイッチ６は一次巻線３の第二端子３ｂに接続される。
【００７２】
好ましくは、スイッチ６は静的（スタティック）タイプである。より好ましくは、複雑な充電を効率的にかつ高い信頼性で管理できるよう、スイッチ６は、絶縁ゲートバイポーラトランジスタ（ｉｓｏｌａｔｅｄ  ｇａｔｅ  ｂｉｐｏｌａｒ  ｔｒａｎｓｉｓｔｏｒ）（一般にＩＧＢＴとして知られている）である。
【００７３】
したがって、このスイッチ６は、
一次巻線３に接続された第一ノード（すなわちコレクタ）と、
接地された第二ノード（すなわちエミッタ）と、
スイッチ６自体を開閉可能にするよう制御可能な第三ノード（すなわちゲート）と、
を有する。
【００７４】
この点で、システム１は、前記スイッチ６と関係するとともに、所定駆動信号の値に応じて開いた位置におよび／または閉じた位置に前記スイッチ６を駆動するよう構成される制御ユニット７を備える。
【００７５】
したがって、制御ユニット７は、スイッチ６の駆動信号を変更するよう（または生成するよう）構成される。
【００７６】
より詳細には、制御ユニット７は、スイッチ６の駆動モジュール１１の駆動信号を生成するよう構成される。
【００７７】
このように、第三ノード（すなわちゲート）は、制御ユニット７に機能的に好ましくは電気的に接続されている。
【００７８】
また制御ユニット７すなわち周辺パワーユニットは、車両の電子制御ユニット「ＥＣＵ」に接続されているまたは接続可能である。
【００７９】
より詳細には、制御ユニット７は、ＥＣＵからエンジンの動作条件を表す一以上の信号を受信するよう配置されるとともに、前記一以上の信号に応じてスイッチ６を駆動するよう（つまり駆動ユニット１１を制御するよう）構成されている。
【００８０】
制御ユニット７とＥＣＵとの間の関係は、それ自体知られており、車両モデルおよび構成に応じて変更可能であるので、詳細には説明しない。
【００８１】
エンジンコントロールユニット「ＥＣＵ」は、持続時間および電流レベル二次設定点を制御ユニットへと直接与えることできる、または、制御ユニット７においてマッピングされた前記値（持続時間および電流）を含むエンジン点に関する情報を送る（パスする）ことができる。
【００８２】
いずれの場合も、本発明にかかるシステム１は、「プラズマ」タイプである、つまり、それぞれの仕事（ワーク）サイクルが、つまりそれぞれのシリンダのそれぞれの燃焼が、複数の連続的にかつ一部分を構成するよう定義された時間間隔に分割されるよう、コイル２を駆動するように構成される。
【００８３】
より詳細には、仕事サイクルは、制御ユニット７の第一モード、第二モードおよび第三モードにそれぞれ対応する互いに連続する少なくとも一つの第一ギャップ、第二ギャップおよび第三ギャップを含む。
【００８４】
言い換えれば、制御ユニット７は、前記第一、第二および第三モードを、互いに連続する第一、第二および第三間隔でそれぞれ切り換えるよう構成されている。
【００８５】
したがって、制御ユニット７は、それぞれが仕事サイクルの間隔に対応するいくつかのモードに切り換えることができる。
【００８６】
好ましくは、制御ユニット７は、少なくとも
一次巻線３の第一充電を達成するよう前記スイッチ６を所定第一期間閉じた位置に駆動する（駆動モジュール１１を通じて）第一モードと、
一次巻線３の放電と、それによる二次巻線４における高電圧発生（点火プラグ１００の端部において絶縁破壊を生じさせる）と、を可能にするよう、前記スイッチ６を所定第二時間間隔開いた位置に駆動する（駆動モジュール１１を通じて）、第一フライバック・ステップを定義する第二モードと、
前記スイッチ６を少なくとも一回開かせそして少なくとも一回閉じさせる交互順序で駆動する、第三モード、すなわち「プラズマ構成（ｐｌａｓｍａ  ｃｏｎｆｉｇｕｒａｔｉｏｎ）」と、
の間で切り換わるようプログラムされる。
【００８７】
より詳細には、このような第三モードにおいて、制御ユニット７は、スイッチ６の開閉間隔の期間および／または火花の所望の期間に対する（つまりプラズマ・ステップの）開いて続いて閉じる回数を決定するようにプログラムされている。
【００８８】
言い換えれば、制御ユニット７は、エンジンの一以上の動作パラメータに応じて、第三モードにおいてスイッチ６の開閉回数（すなわちそれぞれの期間）を変更することにより、火花の所定の時間を決定するよう構成されている。
【００８９】
したがって、既に簡単に説明した通り、制御ユニット７は、エンジンの一以上の動作パラメータに応じてスイッチ駆動信号を変更する（駆動モジュール１１によって）よう構成される。
【００９０】
本発明の第一の面では、システム１は、電気接続５に接続されるとともに電気接続５と一次巻線３との間に機能的に配置される電圧変更電子要素（ｖｏｌｔａｇｅ  ｃｈａｎｇｉｎｇ  ｅｌｅｃｔｒｏｎｉｃ  ｅｌｅｍｅｎｔ）８を備える。
【００９１】
言い換えれば、変更電子要素８は、電気的に接続される一次巻線３の上流側に配置される。
【００９２】
このような変更電子要素８は、少なくとも第一電圧値Ｖ１および第二電圧値Ｖ２の制御信号「Ｃ」の値に応じて一次巻線３の電圧値（特に第一端子３ａにおける）を変更するよう構成される。
【００９３】
なお、第二電圧値Ｖ２は第一電圧値Ｖ１より大きいことを記載しておく。
【００９４】
このような変更モジュール８は、一次巻線３における電圧の値を、つまりスイッチ６が閉じられたときのその電圧供給を、定義するためのものである。
【００９５】
このように、変更電子要素８は、制御ユニット７によって受信された制御信号に応じて、一次巻線３の電源電圧を、つまり発生装置５０によって発生された電圧を、分圧するように構成される。
【００９６】
好ましい実施形態において、変更電子要素は、Ｄ／Ｄ電圧変換器（コンバータ）であり、好ましくは、電源電圧を低減させるよう構成されるかまたは増加させる構成されるかに応じた降圧型（バックタイプ）または昇圧型（ブーストタイプ）のものである。
【００９７】
あるいは、変更電子要素８は、バック／ブースト・コンバータ、つまり、第一充電ステップにおける電圧の低減とプラズマ・ステップにおける電圧の増加との両方が可能であるコンバータとすることもできる。
【００９８】
なお、このようなコンバータは、タイプにかかわらず、独立させることも（また変圧器（ｔｒａｎｓｆｏｒｍｅｒ）を含む）、独立させないこともできる。したがって、制御ユニット７は、好ましくは駆動するために変更電子要素８と関連している。
【００９９】
より詳細には、制御ユニット７は、一次巻線３の第一電圧値「Ｖ１」と第二電圧値「Ｖ２」とをそれぞれ表す少なくとも第一値と第二値との間の可変な制御信号「Ｃ」を生成するように構成される。
【０１００】
また、制御ユニット７はさらに、前記二次巻線４において電流値が実質的にヌル平均値であり前記スイッチ６が閉じている一次巻線３の少なくとも第一充電間隔の間に、前記第一値を有する前記制御信号「Ｃ」を、前記変更電子要素８に送信するよう構成される。
【０１０１】
言い換えれば、制御ユニット７は、第一モードにある場合に、制御信号「Ｃ」の第一値を変更電子要素８に送信するようプログラムされている。
【０１０２】
また、前記二次巻線４における電圧がゼロとは異なる値である時間間隔において、制御ユニット７はさらに、前記第二値を有する前記制御信号「Ｃ」を前記変更電子要素８に送信するよう構成されている。
【０１０３】
したがって、制御ユニット７は、第二モードおよび／または第三モードにある場合に、制御信号「Ｃ」の第二値を変更電子要素８に送信するようプログラムされている。
【０１０４】
結果として、制御ユニット７は、少なくとも、
第一信号Ｓ１を前記変更電子要素８に送信するとともに、スイッチ６を閉じた位置に駆動する（駆動モジュール１１を介して）第一モードと、
前記スイッチ６を開いた位置に駆動する（駆動モジュール１１を介して）とともに、第二信号Ｓ２を変更電子要素８に送信する第二モードと、
スイッチ６を少なくとも一回閉じさせそして少なくとも一回開かせる交互順序で駆動する（駆動モジュール１１を介して）第三構成と、
との間で切り換わるようプログラムされている。
【０１０５】
この場合、仕事サイクルの第一期間に、つまり一次巻線３の第一充電の間に、二次巻線４における電圧を低減することができ、火花の生成において危険な拡散を回避することができる利点がある。
【０１０６】
なお、第三モードにおいては、制御ユニット７は、第二値と等しい電気接続５の電圧値を維持するよう構成されていることを記載しておく。
【０１０７】
この場合、二つの巻線間の好ましい巻数比に加えて、一次巻線３における最大電圧によって、第三間隔においてすなわちプラズマ・ステップの間に二次巻線４においてこのような電圧を維持して、火花を「アライブ」に保持することができる利点がある。
【０１０８】
これに関して、好ましくは、一次巻線３および二次巻線４の変更電子要素８は、
Ｖbatt×（１−μvar）×（ＮII／ＮI）＜１０００Ｖ
を満たし、
ここで、
Ｖbattは、電圧発生器５０の電圧、つまり電気接続５に対応する電圧であり、
μvarは、変更電子要素８によって与えられる電圧パーセンテージ変化、つまり、第一値と第二値との間のパーセンテージまたは相対的な差であり、
ＮIは一次巻線３の巻数であり、
ＮIIは二次巻線４の巻数である、
よう構成されている。
【０１０９】
さらに、好ましくは、制御ユニット７がまた第四放電構成を有することを記載しておく。
【０１１０】
このような第四構成は、システムが放電して、火花が消滅する仕事サイクルの第四の、かつ、最後の間隔に対応する。
【０１１１】
このような第四モードにおいては、制御ユニット７はスイッチ６を、交互に連続的に少なくとも一回開かせそして少なくとも一回閉じさせるよう、駆動し続けると同時に、第一値の制御信号「Ｃ」を変更電子要素８に送信することによって、電圧を前記第一値Ｖ１に低減する。
【０１１２】
この場合、また例えば好ましく用いられるバックまたはブースト・コンバータに存在する変更電子要素８の内部コンデンサを放電させることができる利点がある。
【０１１３】
好ましい実施形態において、システムはそれぞれのコイル２に機能的に接続される単一の変更電子要素８を有することが知られている。
【０１１４】
ただ、あるいは、それぞれのコイル２がその専用の変更電子要素８に関連付けられている「スタンド・アロン」システムを備えることもできる。
【０１１５】
好ましくは、第一間隔の起動時間に、つまり制御ユニット７が第一モードに切り換わる場合に、二次巻線における電圧ピークを低減するために、システム１は、スイッチ６に関連付けられるとともに一次巻線４における当該スイッチ６を閉じる効果を減速させるよう構成される制限装置９を備える。
【０１１６】
より詳細には、好ましい実施形態において、制限装置９はコンデンサ９ａとダイオード９ｂとを有する。
【０１１７】
初めに、スイッチ６が開いている場合、コンデンサ９ａは電源電圧に充電され、ダイオード９ｂは遮断される。コンデンサ９ａにおける当該電圧がＩＧＢＴのコレクタ（ｃｏｌｌｅｃｔｏｒ）端子に印加されているからである。
【０１１８】
スイッチ６が閉じると、駆動ブロックからの信号は、約０Ｖのローレベル（ｌｏｗ）から４Ｖを超えるハイレベル（ｈｉｇｈ）へと変化する。
【０１１９】
このような電圧（ハイレベル、例えば４Ｖ）は抵抗器を介してスイッチ６のゲート端子（すなわち第三ノード）に印加され、これにより、遮断状態から伝導状態への移行過程が始まる。
【０１２０】
このステップにおいて、スイッチ６（ＩＧＢＴ）のコレクタにおける電圧が低下し始め、ダイオード９ｂが伝導状態へと移行していく。
【０１２１】
このように、コンデンサ９ａを介して、電流は、スイッチ６の第一ノードにおける電圧の降下に比例して、スイッチ６の第三ノードから流れる。
【０１２２】
これにより、第一ノード電圧の降下の傾きに比例する、第三ノードにおける電圧の瞬間的な低下が生じる。
【０１２３】
第一ノードにおける電圧の降下の傾きが第三ノードにおける電圧と密接に関係するので、システムは均衡に達する。
【０１２４】
コンデンサ９ａの容量値を増加させることによって、降下の傾きをさらに小さくすることができる。
【０１２５】
小さな傾き値によって、上記の移行状態の間に二次巻線における電圧が大きくなりすぎる原因となる変圧器における発振の開始を防止することができる。
【０１２６】
本発明のさらなる面では、上記に加えて、システム１は、二次巻線４に関連する電流の検出手段１０を備える。
【０１２７】
制御ユニット７は、二次巻線４における少なくとも一つの電流値を表す信号を受信するようこのような検出手段１０と関係するとともに、前記信号に応じてスイッチ６を駆動する（駆動モジュール１１を介して）よう構成されている。
【０１２８】
好ましくは、検出手段１０は、（接地された）二次巻線４における電流の値を検出するように構成されるとともにそれを表す信号をユニットバリューコントロール（ｕｎｉｔ  ｖａｌｕｅ  ｃｏｎｔｒｏｌ）７に送信するよう配置される検出（すなわちサンプリング）モジュール２２を備える。
【０１２９】
好ましい実施形態において、検出（すなわちサンプリング）モジュール２２は、それらの間で制御ユニット７に読み取り可能な信号を供給するよう組み合わせた抵抗器および増幅器を備える。
【０１３０】
第三ギャップは複数のプラズマ・サイクル（以下に単に「サイクル」という）によって定義され、それぞれのサイクルは、第一間隔すなわちスイッチ６を開く間隔と、第二間隔すなわちスイッチ６を閉じる間隔と、に分けられることが知られている。
【０１３１】
したがって、制御ユニット７は、先のサイクルで二次巻線４の少なくとも一つの電流値を表す信号を検出するよう、そして次のサイクルの検出のためにスイッチ６を駆動するよう、構成される。
【０１３２】
この場合、プラズマ・ステップ（第三間隔）の変更を特に正確で精度よくすることができ、未燃物質が残ってしまうのを、除去しきれなかったとしても、大きく制限できる利点がある。
【０１３３】
なお、制御ユニット７は、第三モードにある場合に、駆動モジュール１１を介して、検出手段１０によって二次巻線４で検出される電流信号「ＩII」に応じてスイッチ６を制御するよう構成されることを記載しておく。
【０１３４】
言い換えれば、仕事サイクルの第三間隔（つまりプラズマ・ステップ）において、制御ユニット７は、二次巻線４を流れる電流に応じてスイッチ６を、したがって一次巻線３を制御するように構成される。
【０１３５】
好ましくは、制御ユニット７は、少なくとも一の所定時間において、二次巻線４における少なくとも一つの電流値を表す信号「ＩII」を受信するよう前記検出手段１０と関係する。
【０１３６】
したがって、制御ユニット７は、検出されたこのような信号「ＩII」を表す少なくとも一つの値を一以上の所定参照値と比較するよう、そして前記比較に応じて所定値を有する一以上の動作信号を駆動モジュール１１に送信するよう、プログラムされる。
【０１３７】
好ましくは、制御ユニット７は、検出された電流信号「ＩII」を、またはそれをスイッチ６の一以上の駆動パラメータに関連付けることにより得られた比較の結果を、処理するようにプログラムされる。
【０１３８】
「駆動パラメータ」という表現は、本明細書において、好ましくは駆動スイッチ６を制御することができる変数を定義する意味である。
【０１３９】
駆動のタイプに応じて、パラメータは異なるものとすることができる。
【０１４０】
例えば、好ましい実施形態において、駆動モジュール１１は少なくともＰＷＭ信号生成器を有する。
【０１４１】
この点で、好ましくは、駆動パラメータは、駆動モジュール１１によってスイッチ６に送信される、少なくともデューティサイクルおよび／またはＰＷＭ駆動信号の周波数を含んでいる。
【０１４２】
好ましくは、それぞれスイッチ６を開く間隔と閉じる間隔とに分けられる一連の仕事サイクルを駆動モジュール１１において駆動させるよう構成される。
【０１４３】
より詳細には、制御ユニット７は、少なくとも第三モードにある場合（つまり仕事サイクルの第三間隔の間に）、前記検出および比較を実行するよう構成されている。
【０１４４】
言い換えれば、制御ユニット７は、第三モードにある場合に、駆動モジュール１１を介して、検出手段１０によって二次巻線４で検出される電流信号「ＩII」に応じてスイッチ６を制御するよう構成されている。
【０１４５】
さらに、制御ユニット７はまたコントローラモジュール１３を有する。コントローラモジュール１３は、
先のサイクル（すなわちプラズマサイクル）の間に平均電流値を表す少なくとも電流値を検出しおよび／または計算し、
前記平均電流値を表す値を前記平均値の所定参照値と比較し、
前記比較に応じて、駆動信号のデューティサイクルにおける変更を計算し、
デューティサイクルの前記変更に関連する信号を前記駆動モジュール１１に送信する
よう構成されている。
【０１４６】
なお、デューティサイクルの計算を、先のサイクルと次のサイクルとの間のデューティサイクルの変化として、またはアブソリュート（無条件の）時間（パーセンテージ）の点から、制御ユニット７によって行うことができることを記載しておく。
【０１４７】
なお、好ましい態様では、平均値の所定参照値は実質的にゼロに等しいことを記載しておく。
【０１４８】
好ましくは、制御ユニット７は、検出手段１０とコントローラモジュール１３との間に機能的に配置されている少なくとも一つのサンプリング・モジュール１２を備える。
【０１４９】
このようなサンプリング・モジュール１２は、検出手段１０と関係するとともに、各サイクルすなわちプラズマ・サイクルにおけるスイッチ６を開く間隔と閉じる間隔のそれぞれに対する確認電流値（ｉｄｅｎｔｉｆｙｉｎｇ  ｃｕｒｒｅｎｔ  ｖａｌｕｅ）をサンプリングするよう構成されている。
【０１５０】
このように、それぞれのサイクルに対して、サンプリング・モジュール１２は、二つの電流値（閉じる間隔を確認する第一電流値および開く間隔を確認する第二電流値）をサンプリングするよう、つまり検出するよう、構成されている。
【０１５１】
好ましくは、第一値および第二値は、それぞれの間隔における電流の平均値である（あるいは、より好ましくは間隔の中間の瞬間に検出される）。
【０１５２】
より詳細には、第一値および第二値は、正の側の半波（第一間隔）および負の側の半波（第二間隔）の、時間および／またはピーク値から、量の点からの平均値である。第一値および第二値は、無視できる誤差を含む平均値を表している。
【０１５３】
したがって、好ましくは、コントローラモジュール１３は、少なくとも第一電流値と第二電流値とを受信するのに適しており、先のサイクルにおける平均電流値を表す値を取得するよう前記第一値と前記第二値との合計を得るようにプログラムされるコンピュータ１３ａを有する。
【０１５４】
加えて、コントローラモジュール１３は、平均値を表す値と所定参照値との間の比較に応じてデューティサイクルの値を決定するようプログラムされるアジャスタ（調整器）１３ｂ（好ましくは比例積分のもの）を備える。
【０１５５】
より詳細には、制御器１３ｂは、比例積分係数に応じて計算された誤差を「乗算する」よう構成される。アジャスタの機能的に下流側の位置にはまた、アジャスタの出力値をデューティサイクル値に変換するように構成される変換モジュール（ｔｒａｎｓｆｏｒｍｅｒ  ｍｏｄｕｌｅ）１３ｃが配置される。
【０１５６】
あるいは、好ましくは一緒に、制御ユニットは、さらなるコントローラモジュール１４を備える。
【０１５７】
このようなさらなるコントローラモジュール１４は、第一電流値と第二電流値とを受信するようサンプリング・モジュール１２の下流側に機能的に配置される。
【０１５８】
このようなさらなるコントローラモジュール１４は、各サイクルの間に、
先のサイクルの間に電流振幅を表す少なくとも電流値を検出しおよび／または計算し、
前記電流振幅を表す値を前記振幅の所定の参照値と比較し、
前記比較に応じて、前記駆動信号の周波数における変更を計算し、
周波数の前記変更に関連する信号を前記駆動モジュール１１に送信する
よう構成されている。
【０１５９】
なお、周波数の計算を、先のサイクルと次のサイクルとの間の信号周波数の変化として、または無条件の周波数の点から、制御ユニット７によって行うことができることを記載しておく。
【０１６０】
好ましくは、振幅の所定参照値は１０ｍＡ〜２００ｍＡであり、好ましくは２０ｍＡ〜１５０ｍＡである。
【０１６１】
さらなるコントローラモジュール１４は、好ましくは、少なくとも第一電流値と第二電流値とを受信するのに適しており、先のサイクルにおける電流の振幅を表す値を取得するよう前記第一値と前記第二値との間の差を計算するようにプログラムされる少なくともコンピュータ１４ａを有する。
【０１６２】
さらに、さらなるコントローラモジュール１４は、振幅を表す値と所定参照値との間の比較に応じて周波数の値を決定するようプログラムされるアジャスタ（調整器）１４ｂ（好ましくは比例積分のもの）を備える。
【０１６３】
より詳細には、アジャスタ１４ｂは、比例積分係数に応じて計算された誤差を「乗算する」よう構成される。アジャスタの機能的に下流側の位置にはまた、アジャスタの出力値を周波数値に変換するように構成される変換モジュール１４ｃが配置される。
【０１６４】
本発明のさらなる面では、好ましくは既に説明した両方の面に加えて、システム１は、前記スイッチ６と並列に接続されるとともに前記スイッチ６が開いた結果一次巻線３に残留する残留電力を蓄積するよう構成される蓄積回路１５を有する。
【０１６５】
この場合、電力散逸を最大限に低減でき、したがって、スイッチ６の過熱を回避することができる利点がある。
【０１６６】
好ましくは、蓄積回路１５は、一次巻線３自体の充電条件に応じて、一次巻線３から電流を吸収するよう、および／または前記一次巻線３の電流を放出するよう、構成される。
【０１６７】
より詳細には、蓄積回路１５は、前記スイッチ６の開いた後に一次巻線３に流れ込む（すなわち一次巻線３からの）残留電流による最大値まで充電する蓄積条件を有する。
【０１６８】
加えて、蓄積回路１５は、蓄積された残留電流が一次巻線３において充電条件とは反対方向に放出される放電条件を有する。
【０１６９】
このような蓄積回路１５は、このように、一次巻線３の充電条件に応じて二つの構成の間で切り換わるよう構成される。
【０１７０】
この点で、蓄積回路１５は、互いに機能的に並列に配置された、少なくとも一つの蓄積用片半分１６と、放電用片半分１７と、を備える。
【０１７１】
概略的に図示する実施形態を参照して、蓄積回路１５は、並列に機能的に配置されるとともに、両方ともが第一ノード１５ａおよび第二ノード１５ｂから延びる、第一ブランチ（分岐）１８と第二ブランチ１９とを備える。
【０１７２】
スイッチ６は、蓄積回路１５と前記第一ノード１５ａおよび第二ノード１５ｂにおいて並列に接続される。
【０１７３】
第一ブランチ１８は、好ましくはコンデンサ１６ａを備える。
【０１７４】
したがって、蓄積部分１６用片半分は、前記スイッチ６と並列に配置された少なくとも一つのコンデンサ１６ａによって形成される。
【０１７５】
詳細には、コンデンサ１６は、一次巻線において分散されるインダクタンス電力を蓄える、好ましくは４０ｎＦ〜１００ｎＦの間の容量を有する必要がある。
【０１７６】
また、このようなコンデンサ１６は、スイッチ６のクランプ電圧（ｃｌａｍｐ  ｖｏｌｔａｇｅ）より高い電圧を、好ましく３００Ｖ〜６００Ｖの間の電圧を保持することができるように構成されている必要がある。
【０１７７】
一方、第二ブランチ１９は、第一ノード１５ａに向かって第二ノード１５ｂの一方向に電流の通電を可能にするよう配置されたダイオード１７ａを備える。
【０１７８】
詳細には、ダイオード１７ａは、スイッチ・クランプ（ｓｗｉｔｃｈ  ｃｌａｍｐ）の電圧（３００Ｖ〜６００Ｖの間の電圧）より高い逆電圧を保持するように構成される。
【０１７９】
加えて、ダイオード１７ａは、一次巻線３の最大の電流（つまり少なくとも５０Ａ）に対応する電流ピークに耐えるよう構成される。
【０１８０】
言い換えれば、第一ブランチ１８は、蓄積装置１５の蓄積用片半分１６を形成し、第二ブランチ１９は、放電用片半分１７を形成している。
【０１８１】
本発明のさらなる面にかかるシステムは、前記二次巻線４に関係する点火プラグ１００の前記放電「ギャップ」１００ａにおけるイオン化を表すパラメータの測定装置２０を備える。
【０１８２】
好ましくは、パラメータは、イオン化の結果として二次巻線４に生成される電流によって定義される。
【０１８３】
以下では、したがって、「イオン化電流」の測定に言及する。この表現はイオン化の結果として生成された電流を正確に定義するものと、したがって測定パラメータを定義するものとする。
【０１８４】
したがって、このような装置は、前記二次巻線４における電流の値を検出し、かつ前記値を表す信号を制御ユニット７に送信するよう配置される。
【０１８５】
したがって、制御ユニット７はまた、関係する測定装置２０を作動させるよう構成される。
【０１８６】
より詳細には、制御ユニット７はまた、前記電気アークが消滅するよう測定装置２０を作動させるように構成される。
【０１８７】
交流プラズマ電子点火システムによって、二次巻線４のインダクタンスを低くでき、これにより、低いインピーダンスを得られる利点がある。
【０１８８】
イオン化電流測定装置２０は、この低いインピーダンスを利用して、インピーダンスの値が限定されたイオン化電流読み取り経路（ｉｏｎｉｚａｔｉｏｎ  ｃｕｒｒｅｎｔ  ｒｅａｄｉｎｇ  ｐａｔｈ）を形成する。
【０１８９】
このように、好ましくは、制御ユニット７は、前記イオン化電流測定装置２０を作動させるよう、そして同時に前記さらなるスイッチ２１を前記閉じた構成へと駆動するよう構成される。
【０１９０】
なお、このため、測定装置２０は検出手段１０と関係していることを記載しておく。
【０１９１】
プラズマ・ステップに、およびイオン化電流測定ステップの間に、の両方で、制御ユニット７（特に測定装置）はこうして検出手段１０を介して二次巻線４の電流値を検出するよう構成されている。
【０１９２】
このように、高エネルギー低インピーダンス・システムを、ＩＯＮすなわちイオン化電流の測定と、組み合わせて使用できる利点がある。
【０１９３】
さらに、プラズマ・ステップの終了時における電流測定を、プラズマ・ステップの間のスイッチ６のフィードバック制御と共同して、使用することにより、燃焼を最適化することができる。
【０１９４】
この特定の構造により、
イオン化電流の読取ステップの間に二次巻線のインダクタンスを効果的にかつ確実に低減し、これにより、イオン化電流の読み取りに有用な信号の振幅を向上できる、
二次巻線の動的な周波数限界を増加させることができる、
火花生成の終了時に二次巻線における残留エネルギーを散逸させて、これにより、火花生成の終了時における擾乱（ｄｉｓｔｕｒｂａｎｃｅｓ）を低減でき、そしてイオン化電流の読み取りを向上できる、
二次巻線を通る電流の値を消去（キャンセル）しイオン化電流を測定するのに必要な時間を短縮し、これにより、「ノック」振動の存在を速やかに検出できる、
点火プラグが二つ以上である場合に、用いられる電子部品の数を低減できる
という利点が得られる。
【０１９５】
また、先に記載した通り、システム１の駆動方法も本発明の対象である。
【０１９６】
したがって、本発明にかかる方法は、少なくとも一つの一次巻線３および一つの二次巻線４を有する点火コイル２を備える内燃機関用電子点火システムの駆動に関してなされたものである。前記二次巻線４は点火プラグ１００に接続される。
【０１９７】
既に先に説明した通り、このようなシステム１はさらに、一次巻線３に接続されるとともに、当該一次巻線３を通る電流のフローを遮断するまたは可能にするために開いた状態および／または閉じた状態へと駆動可能なスイッチ６を備える。
【０１９８】
なお、駆動方法は、一連の第一ステップ、第二ステップおよびまた第三ステップをそれぞれの仕事サイクルに対して決定するコイル２の「プラズマ」駆動を提供するように構成されることを記載しておく。
【０１９９】
第一ステップにおいて、一次巻線３はスイッチ６を第一時間間隔閉じることにより充電される。
【０２００】
第二ステップにおいて、スイッチ６を少なくとも第二時間間隔（長い間隔）開いた後、電磁誘導によって二次巻線４に電力が供給される。この開いている間隔は、一次巻線３における電流がゼロに達することができるよう十分に長い。
【０２０１】
なお、この第二ステップにおいて、二次巻線電圧は、点火プラグ１００の二つの電極間において絶縁破壊を生じさせる値に達して、火花を生成することを記載しておく。
【０２０２】
第三ステップ、すなわちプラズマ・サイクル、すなわちプラズマ・ステップには、火花の継続時間を変更するよう前記スイッチ６の交互順序での開閉（先のものより短い）が含まれる。
【０２０３】
本発明の一の面では、一次巻線３に対する電源電圧の所定第一値は、それぞれのサイクルにおいて初めに設定される。
【０２０４】
このような値は、仕事サイクルの第一期間に、つまり一次巻線３の第一充電の間に、二次巻線４における電圧を低減するよう、前記第一ステップの間に維持され、これにより、火花の生成において危険な状態での拡散を回避する。
【０２０５】
このような方法は、二次巻線４の前記電力供給工程において、つまり、第二ステップまたは第三ステップの間に、一次巻線（３）の電源電圧を第一値より大きい第二値へと増加するステップを含む。
【０２０６】
なお、前記第二電圧値は第三ステップの間に維持されることを記載しておく。
【０２０７】
言い換えれば、前記スイッチ６を交互順序で開閉させる前記工程の少なくとも最初の（第一の）部分（ｆｉｒｓｔ  ｐａｒｔ）では、前記一次巻線３の電源電圧は前記第二値と等しい値に維持される。
【０２０８】
この場合、プラズマ・ステップの間に二つの巻線間の巻数比を最大限に利用することができる利点がある。
【０２０９】
また方法は、各サイクルにおいて、一次巻線３に対する前記第一の所定電圧値を新たに設定する第四ステップを含む。
【０２１０】
このような第四ステップは、好ましくは、スイッチ６の前記交互順序での開閉の最終の部分（ｆｉｎａｌ  ｐｏｒｔｉｏｎ）（つまり第三ステップの終了時）の後にまたは間に始まる。
【０２１１】
好ましくは、システム１に関して先に記載したものと合わせて、設定ステップおよび増加ステップは、適当な変更モジュール８によって行われる。
【０２１２】
好ましい実施形態では、上述した新たに設定するステップは、電力を供給するステップとそれに続くスイッチ６を交互順序で開閉させるステップの間に（つまり第二ステップおよび第三ステップの間に）前記変更電子要素８に蓄積された電力を放出するために、スイッチ６を交互順序で開閉させるステップの最終部分（ｆｉｎａｌ  ｐａｒｔ）の間に行われる。
【０２１３】
好ましくは、また、一次巻線３を充電するステップは、前記充電ステップの間に（つまり第一ステップの間に）、前記二次巻線４の電圧サージを低減するために、一次巻線３への電圧（および／またはスイッチ６からの電流のフロー）を低減する少なくともサブステップを含む。
【０２１４】
より詳細には、このようなサブステップによって、一次巻線の端部における電圧が低減され、電流増加（電流フローの）が減速することが期待できる。
【０２１５】
なお、第三ステップの間に、つまりプラズマ・ステップの間に、スイッチ６を所定時間間隔少なくとも一回閉じ、続いて前記スイッチ６を所定第二時間間隔開くことを記載しておく。
【０２１６】
このような第一時間間隔および第二時間間隔は、既に上で説明した通り、プラズマ・サイクルを定義する。
【０２１７】
本発明のさらなる面では、方法は、第一時間間隔および第二時間間隔の間に二次巻線４における少なくとも一つの電流値を検出するステップと、二次巻線４において検出された前記電流に応じて次のサイクルにおけるスイッチ６の一以上の駆動パラメータを計算するステップと、を含む。
【０２１８】
言い換えれば、方法は、先のサイクルおいて、好ましくは直前のサイクルにおいて、二次巻線４に検出された電流に応じて、プラズマ・ステップのそれぞれのサイクルにおけるスイッチの駆動を含んでいる。
【０２１９】
より詳細には、方法は、前記少なくとも一つの電流値を処理し、前記処理された値をそれぞれの参照値と比較するステップを含む。
【０２２０】
また、前記比較の結果に応じてスイッチ６を駆動するステップも含まれる。
【０２２１】
既に記載した通り、好ましくはスイッチ６の駆動はＰＷＭ変調で実行される。
【０２２２】
この場合、駆動パラメータは好ましくは、デューティサイクルによってそして駆動信号周波数によって定義される。
【０２２３】
好ましくは、少なくとも、二次巻線４における電流信号の検出は、第一間隔を確認する第一電流値と第二間隔を確認する第二電流値とをサンプリングするステップを含んでいる。
【０２２４】
より好ましくは、このような確認値は、それぞれの間隔における電流の平均値に、さらにより好ましくはその間隔の約半分における電流値に、対応する。
【０２２５】
なお、計算ステップは好ましくは、少なくとも、前記仕事サイクルにおける電流の平均値を表す値を取得するために、第一値と第二値との合計を得るステップを含むことを記載しておく。
【０２２６】
実際には、プラズマ・サイクルは交流駆動で実行され、二つの開閉間隔は異なる極性の電流であり、そして、二つの確認値の合計はサイクルにおける平均値に関連付けられる（あるいは比例する）。
【０２２７】
このような合計を得るステップの後、前記デューティサイクルにおける平均電流値を表す前記値を好ましくはゼロと等しい平均値の参照値と比較するステップが行われる。
【０２２８】
前記比較の結果に応じて、スイッチ６の駆動信号のデューティサイクル値は、相対的に換算して決定される（つまり先のサイクルと比較して変更）、または絶対的に換算して決定される。
【０２２９】
これは、適当なアジャスタを介して、二次巻線４における平均電流値と駆動信号のデューティサイクルとの間の既存の相関を処理することによって可能である。このような相関の一例を図６ａに表す。
【０２３０】
デューティサイクル決定ステップの後、前記決定された値に対応するＰＷＭ変調とデューティサイクルとを用いてスイッチ６が駆動される。
【０２３１】
好ましくは、デューティサイクルの決定に代えてまたは加えて、方法は、前記仕事サイクルにおける電流の振幅を表す値を取得するよう、前記第一値と前記第二値との間の差を計算することを含んでいる。
【０２３２】
実際には、プラズマ・サイクルは交流駆動で実行され、二つの開閉間隔は異なる極性の電流であり、そして、二つの確認値の間の差はサイクルにおける電流の振幅に、つまりピークとピークとの間の値（ｐｅａｋ−ｔｏ−ｐｅａｋ  ｖａｌｕｅ）に関連付けられる（あるいは比例する）。
【０２３３】
このような減算作用の後、前記仕事サイクル（つまり先の仕事サイクル）における電流振幅を表す前記値をその基準線値（ｂａｓｅｌｉｎｅ  ｖａｌｕｅ）と比較することが行われる。
【０２３４】
好ましくは、振幅の前記参照値は１０ｍＡ〜２００ｍＡであり、好ましくは２０ｍＡ〜１５０ｍＡである。
【０２３５】
前記比較の結果に応じて、スイッチ６の駆動信号の周波数値は、相対的に換算して決定される（つまり先のサイクルと比較して変更）、または絶対的に換算して決定される。
【０２３６】
これは、適当なアジャスタを介して、二次巻線４における平均電流値と駆動信号の周波数との間の既存の相関を処理することによって可能である。このような相関の一例を図６ｂに表す。
【０２３７】
デューティサイクル決定の結果として、前記決定された値に対応するＰＷＭ変調と周波数とを用いてスイッチ６が駆動される。
【０２３８】
好ましい実施形態では、スイッチ６は、前述のステップにおいて決定されたものに対応するデューティサイクルと周波数を有するＰＷＭ変調における駆動信号で駆動される。
【０２３９】
本発明の、他の面と関連するおよび／または他の面を補足するさらなる面では、駆動方法は、プラズマ・ステップの後にまたはスイッチ６を交互順序で開閉させるステップの後に、それぞれの回転に関してエンジン・シャフト（図示せず）の角度位置を検出する工程を含む。
【０２４０】
したがって、この方法を実行するために、エンジン・シャフトの角度位置のセンサすなわち検出手段（例えばエンコーダ）が必要である。
【０２４１】
方法はまた、角度位置が前記シリンダに関して予め設定された参照値に対応する場合に、火花が消滅するよう、前記二次巻線４の電圧を消去するように、スイッチを開くステップを含んでいる。
【０２４２】
好ましくは、実際に、ピストンの位置に関連付けられる参照値、好ましくは角度の参照値が、それぞれのシリンダに割り当てられるまたは関連付けられる。
【０２４３】
例えば、この参照値を、ピストンの所定の動作点（例えば上死点）の到達の結果としての（あるいはその前の）エンジン・シャフトの回転度（すなわちラジアン）で表現することができる。
【０２４４】
この開くステップに続き、すなわち火花の消滅の結果として、イオン化電流が測定装置２０を用いて検出される。
【０２４５】
言い換えれば、検出手段１０によって、先に述べたイオン化電流に対応する、二次巻線４の電流が測定される。
【０２４６】
このような検出に続いて、検出されたイオン化電流値が参照値と比較される。
【０２４７】
より詳細には、測定するのはその変動（「ノック」振動）および不完全な燃焼（つまりミスファイヤーの存在）をモニタリングするための、ギャップにおける電流の変化である。
【０２４８】
例えば、この比較の結果が真（ｐｏｓｉｔｉｖｅ）である場合、または検出された値が参照値より高い（したがって、ピーク電流である）場合、燃焼は正常に行われ、制御ユニット７は、対象のシリンダのサイクルを完了する。
【０２４９】
一方、比較の結果が偽（ｕｎｓｕｃｃｅｓｓｆｕｌ）であった場合、または検出された値がゼロに近いかもしくはいずれにせよ参照値より低い場合、方法では、未燃混合物が排気されるのを防止するために（および／または燃焼を完了させるために）、前記一次巻線３の新たな充電が行われ、そして電磁誘導による前記二次巻線４の新たな電力供給が行われる（したがって同一「回転」すなわちシリンダ時間（ｃｙｌｉｎｄｅｒ  ｔｉｍｅ）において新しいフライバック・ステップが行われる）。
【０２５０】
純粋に説明の目的で分かりやすくするために、図９に、二次電流信号ＩIIと、それとは分離させたイオン化電流ＩIonと、を示すが、実際には、電子点火システム１の二つの異なる動作ステップである、エネルギー転送のステップと、ある持続時間を有するイオン化電流を測定するステップと、のそれぞれにおいて、二次巻線４を通って流れる電流である。
【０２５１】
このように、燃焼が行われない事態（すなわちミスファイヤー）や未燃ガスが残る事態が完全に回避され、これにより、燃費および排気の両方の観点からエンジンの性能を最高に引き出せる利点がある。
【０２５２】
本発明により、意図する目的が達成され、大きな利点が得られる。
【０２５３】
実際に、電子変更要素（ｅｌｅｃｔｒｏｎｉｃ  ｖａｒｉａｔｉｏｎ  ｅｌｅｍｅｎｔ）を、特にＤ／Ｄ電圧変換器を用いることによって、火花の拡散（スパーク・アドバンス）の問題を克服することができ、また、プラズマ・ステップにおいて巻数比を最大限に利用することもできる。
【０２５４】
さらに、少なくともプラズマ・ステップの間に、二次巻線において実際に測定する電流の関数としてスイッチ駆動の制御が実現できるので、システムの精度および信頼性を向上でき、したがって、未燃物質の残留を最小限にすることができる。
【０２５５】
さらにまた、スイッチと並列な蓄積回路を備えることによって、熱的電力散逸を制限することができ、そのため、部品に対する特にスイッチに対する負荷（ストレス）を低減し、その結果、システムの信頼性を高めることができる。
【０２５６】
最後に、交流プラズマ電子点火システムによって、二次巻線のインダクタンスを低くでき、これにより、低いインピーダンスを得られ、その結果、イオン化電流測定装置は、この低いインピーダンスを利用して、値が限定されたインピーダンスのイオン化電流読み取り経路を形成できる。
【先行技術文献】
【特許文献】
【０２５７】
【特許文献１】国際公開第２０１２／１０６８０７号
【図１】
2018520298.tif 000003
【図２】
2018520298.tif 000004
【図３】
2018520298.tif 000005
【図４】
2018520298.tif 000006
【図５】
2018520298.tif 000007
【図６】
2018520298.tif 000008
【図７】
2018520298.tif 000009
【図８】
2018520298.tif 000010
【図９】
2018520298.tif 000011
【国際調査報告】
2018520298.tif 000012
2018520298.tif 000013
2018520298.tif 000014